(57)【要約】【課題】左右ドアに共用化するグロメットを、左右いずれのドア用かを簡単に区別できるようにする。【解決手段】自動車の車体側から左右のドア側へと架け渡されるワイヤハーネスに装着され、車体パネルとドアパネルの貫通穴に係止される両側の大径筒部と該大径筒部の間を少なくとも一部に蛇腹部を設けた筒部で連結したグロメット本体と、上記大径筒部に内嵌固定される車体係止用の樹脂インナーとを備え、上記蛇腹部を左右いずれの方向にも屈曲可として左右共用としているグロメットであって、グロメット本体の大径筒部の内面に外部から認識できる右側表示と左側表示の両方が設けられている共に、上記大径筒部に内嵌固定する上記樹脂インナーに上記右側表示あるいは左側表示のいずれか一方を覆い隠す遮蔽部を設け、大径筒部に対する上記樹脂インナーの取付方向をかえて右側表示或いは左側表示のいずれか一方を遮蔽部で隠蔽し、いずれか他方を露出させる。【選択図】  図４
2004265788.tif 000002
【特許請求の範囲】
【請求項１】
自動車の車体側から左右のドア側へと架け渡されるワイヤハーネスに装着され、車体パネルとドアパネルの貫通穴に係止される両側の大径筒部と該大径筒部の間を少なくとも一部に蛇腹部を設けた筒部で連結したグロメット本体と、上記大径筒部に内嵌固定される車体係止用の樹脂インナーとを備え、上記蛇腹部を左右いずれの方向にも屈曲可として左右共用としているグロメットであって、
上記グロメット本体の大径筒部の内面に外部から認識できる右側表示と左側表示の両方が設けられている共に、上記大径筒部に内嵌固定する上記樹脂インナーに上記右側表示あるいは左側表示のいずれか一方を覆い隠す遮蔽部を設け、
上記大径筒部に対する上記樹脂インナーの取付方向をかえて上記右側表示或いは左側表示のいずれか一方を上記遮蔽部で隠蔽すると共に、いずれか他方を露出させ、左ドア用か右ドア用かを特定できる構成としていることを特徴とするグロメット。
【請求項２】
上記右側表示と左側表示は上記大径筒部の中空部内面の対称位置に設けられ、かつ、該大径筒部に内嵌固定する上記樹脂インナーには周壁の先端側に固定ロック部と可撓ロック部とを対称位置に設け、該樹脂インナーの上記可撓ロック部側の周壁内面より上記遮蔽部を突設し、
右ドア用と左ドア用では上記大径筒部に対して上記樹脂インナーを１８０゜位相させて固定し、
右ドア用では上記左側表示を上記遮蔽部で隠蔽して上記固定ロック部側の右側表示のみを露出させ、左ドア用では上記右側表示を上記遮蔽部で隠蔽して上記固定ロック部側の左側表示のみを露出させ、常に左右表示ある位置のロック部を固定ロック部としている請求項１に記載のグロメット。
【請求項３】
上記右側表示を「ＲＩＧＨＴ」、上記左側表示を「ＬＥＦＴ」として浮き出し加工で設けている請求項１または請求項２に記載のグロメット。
【請求項４】
上記右側表示と左側表示をグロメット品番もしくはワイヤハーネス品番で浮き出し加工で設けている請求項１または請求項２に記載のグロメット。
【発明の詳細な説明】
【０００１】
【発明の属する技術分野】
本発明は、ワイヤハーネスに取り付けるグロメットに関し、詳しくは、車体と左右のドアとの間に取り付けるグロメットを共用化できるようし、かつ、右ドア用と左ドア用とを区別できるようにするものである。
【０００２】
【従来の技術】
従来、自動車に配索するワイヤハーネスでは、室外と室内を仕切る車体パネルを貫通させてワイヤハーネスを配索する場合には、ワイヤハーネスにグロメットを外装し、該グロメットを車体パネルの貫通穴に係止して、室外から室内への浸水発生を防止している。
【０００３】
この種のグロメットのうち、自動車の車体とドアとの間に取り付けるグロメットとして、本出願人は特開２００２−３７４６１２号において、図５に示すグロメット１を提供している。該グロメット１は、蛇腹状筒部２の両端に大径筒部３、４を連続して設け、該大径筒部３、４内に車体パネルとドアパネルの貫通穴にそれぞれ係止される樹脂インナー５（大径筒部３側の樹脂インナーは図示せず）を嵌合している。（特許文献１）
【０００４】
さらに、グロメットの車体パネル及びドアパネルへの取付作業を容易にするため、本出願人は図６に示す樹脂インナー６を提供している。該樹脂インナー６は上記グロメット７の大径筒部８内に嵌合するするもので、樹脂インナー６の一方の係止部を可撓性を有しない固定ロック部６ａとする一方、他方の係止部を可撓性を有する可撓ロック部６ｂとして内方に撓みやすくしている。上記グロメット７を車体パネルまたはドアパネルに設けた貫通穴に取り付ける際には、固定ロック部６ａを下位置に配置して、車体パネルの貫通穴に下端縁に固定ロック部６ａを挿入固定してから、上位置の可撓ロック部６ｂを内方に撓ませながら貫通穴の上端縁に挿入し係止している。このように樹脂インナーの固定ロック部を下位置として先にロック固定してから、上位置の可撓ロック部をロック固定するとグロメットの取付作業性を高めることができる。
【０００５】
【特許文献１】
特開２００２−３７４６１２号公報
【０００６】
【発明が解決しようとする課題】
グロメットの生産においては左右ドア用のグロメットを夫々製造するよりは共用化を図ることがコストダウンの点より好ましい。しかしながら、左右ドア用のグロメット７を共用化する場合、樹脂インナー６の取付方向によりグロメット７を左ドア用、右ドア用と特定できるが、グロメットは略同形であるため容易に区別することが出来ない。左右取付位置を誤ると、樹脂インナー６の固定ロック部６ａが上方に、可撓ロック部６ｂが下方に位置して、作業性が悪くなる等の問題が生じる。
【０００７】
具体的には、図７（Ａ）に示す左側ドア用に樹脂インナー６を取り付けたグロメット７Ａでは、図７（Ｂ）に示すように樹脂インナー６の固定ロック部６ａが下方に、可撓ロック部６ｂが上方に位置する。しかしながら、この左側ドア用のグロメット７Ａを誤って、図７（Ｃ）に示すように右側ドアに取り付けようとすると、グロメット７と樹脂インナー６が１８０°回転して、図７（Ｄ）に示すように固定ロック部６ａが上方に、可撓ロック部６ｂが下方に位置することとなる。この場合、ドアパネルの貫通穴の上端縁に固定ロック部６ａを係止した後、貫通穴の下端縁に可撓ロック部６ｂを係止することになり、先に固定ロック部６ａを貫通穴の上端縁に係止するため、固定ロック部６ａを貫通穴の下端縁に係止する場合に比べて安定性が悪く、取り付けにくくなる。
【０００８】
本発明は上記問題に鑑みてなされたものであり、左右ドアに共用する樹脂インナー付きグロメットを右ドア用、左ドア用と容易に区別でき、車体パネルの貫通穴への固定時に固定ロック部を下位置に出来るグロメットを提供することを課題としている。
【０００９】
【課題を解決するための手段】
上記課題を解決するため、本発明は、自動車の車体側から左右のドア側へと架け渡されるワイヤハーネスに装着され、車体パネルとドアパネルの貫通穴に係止される両側の大径筒部と該大径筒部の間を少なくとも一部に蛇腹部を設けた筒部で連結したグロメット本体と、上記大径筒部に内嵌固定される車体係止用の樹脂インナーとを備え、上記蛇腹部を左右いずれの方向にも屈曲可として左右共用としているグロメットであって、
上記グロメット本体の大径筒部の内面に外部から認識できる右側表示と左側表示の両方が設けられている共に、上記大径筒部に内嵌固定する上記樹脂インナーに上記右側表示あるいは左側表示のいずれか一方を覆い隠す遮蔽部を設け、
上記大径筒部に対する上記樹脂インナーの取付方向をかえて上記右側表示或いは左側表示のいずれか一方を上記遮蔽部で隠蔽すると共に、いずれか他方を露出させ、左ドア用か右ドア用かを特定できる構成としていることを特徴とするグロメットを提供している。
【００１０】
上記構成とすると、大径筒部に記された右側表示と左側表示のうち、樹脂インナーに設けた遮蔽部により覆い隠されずに外部から目視により認識できる表示により、右ドア用グロメットと左ドア用グロメットとを容易に区別することができる。即ち、右側表示が表れているグロメットが右ドア用グロメットであり、左側表示が表れているグロメットが左ドア用グロメットであることを一目で認識することができる。
【００１１】
具体的には、上記右側表示と左側表示は上記大径筒部の中空部内面の対称位置に設けられ、かつ、該大径筒部に内嵌固定する上記樹脂インナーには周壁の先端側に固定ロック部と可撓ロック部とを対称位置に設け、該樹脂インナーの上記可撓ロック部側の周壁内面より上記遮蔽部を突設し、
右ドア用と左ドア用では上記大径筒部に対して上記樹脂インナーを１８０゜位相させて固定し、
右ドア用では上記左側表示を上記遮蔽部で隠蔽して上記固定ロック部側の右側表示のみを露出させ、左ドア用では上記右側表示を上記遮蔽部で隠蔽して上記固定ロック部側の左側表示のみを露出させ、常に左右表示ある位置のロック部を固定ロック部としている。
【００１２】
上記構成とすると、グロメット本体の大径筒部に組みつける樹脂インナーの方向を１８０度変えるだけで、右ドア用グロメットでは右側表示のみが露出すると共に、常に右側表示の有る位置のロック部が固定ロック部であることが認識できる。かつ、大径筒部に対する樹脂インナーの組付方向がいずれであっても、かならず右側表示と左側表示のいずれか一方が隠れ、他方が露出するため、露出した表示側のグロメットとすればよく、樹脂インナーを大径筒部に組み付ける時に組みつけ間違いのミスが発生することはない。
【００１３】
上記グロメットをワイヤハーネスに取り付ける際、右側表示、左側表示がなされているため、右ドア用ワイヤハーネスには右ドア用グロメットを、左ドア用ワイヤハーネスには左ドア用グロメットが間違いなく取り付けられる。かつ、右ドア側に右ドア用グロメットを上記蛇腹部で屈曲させて取り付けると、右側表示のある位置の固定ロック部が下位置となる。左ドア側でも同様となる。よって、下位置の固定ロック部をパネルの貫通穴の下端縁に係止した後、可撓ロック部を撓ませながら貫通穴の上端縁に係止することができ、安定した状態で容易にグロメットを貫通穴に取り付けることができる。
【００１４】
なお、上記遮蔽部は周壁内面から突出させる構成に限らず、周壁自体の長さを部分的に大として、樹脂インナーを大径筒部に内嵌すると表示が隠蔽されるようにしてもよい。
【００１５】
グロメット本体の拡径筒部の内面に形成する上記右側表示を「ＲＩＧＨＴ」、上記左側表示を「ＬＥＦＴ」として、成形時に浮き出しにより一体的に設けていることが好ましい。
なお、左右の表示は上記表示に限らず、グロメットやワイヤハーネスの品番等の左右を識別できる表示であればどのような表示であってもよい。
【００１６】
【発明の実施の形態】
以下、本発明の実施の形態を図面を参照して説明する。
図１乃至図４は、本発明の実施形態を示し、グロメットＧはゴムまたはエラストマーで成形したグロメット本体１０と、樹脂インナー１８、２０とより形成している。
【００１７】
グロメット本体１０の両端に大径筒部１１、１２を備え、大径筒部１１側から蛇腹筒部１３、小径筒部１４、蛇腹筒部１５、小径筒部１６、大径筒部１２を連続して一体成形している。ドア側の大径筒部１１には樹脂インナー２０を、車体側の大径筒部１２には樹脂インナー１８を内嵌係止している。
上記グロメットＧはワイヤハーネスに外装した状態で、自動車の車体と右ドアとの間、車体と左ドアとの間にそれぞれ取り付けるもので、一方の大径筒部１１をドアパネルの貫通穴（図示せず）に係止すると共に、他方の大径筒部１２を車体パネルの貫通穴（図示せず）に係止している。
【００１８】
車体パネルの貫通穴（図示せず）に係止する断面長円形状の大径筒部１２には、車体係止用の樹脂インナー１８を係止するための環状凹部１２ａと、大径筒部１２先端にシールリップ１２ｂを設けている。
一方、ドアパネルの貫通穴（図示せず）に係止する断面長円形状の大径筒部１１には、車体係止用の樹脂インナー２０に設けた突起２４を係止するための凹部（図示せず）と、大径筒部１１先端にシールリップ１１ｂを設けている。
【００１９】
上記樹脂インナー２０を取り付ける大径筒部１１の内面には、図２に示すように、大径筒部１１に連続する蛇腹筒部１３の軸線に対して対称の長軸側の両側に、左側表示の「ＬＥＦＴ」と、右側表示の「ＲＩＧＨＴ」の文字が浮き出し加工で一体的に設けている。
【００２０】
上記「ＬＥＦＴ」と「ＲＩＧＨＴ」の文字の表示位置は、グロメットＧを車体と左ドアとの間に架け渡して取り付けた状態で、図２（Ａ）に示すように、「ＬＥＦＴ」の文字が下方、「ＲＩＧＨＴ」の文字が上方となるように設定している。よって、グロメットＧを車体と右ドアの間に配置して、グロメットＧが１８０°回転すると、図２（Ｂ）に示すように、「ＲＩＧＨＴ」の文字が下方、「ＬＥＦＴ」の文字が上方となるように位置させている。
【００２１】
一方、上記大径筒部１１に取り付ける樹脂インナー２０は、図３に示すように、大径筒部１１の内周面に沿う長円形状の周壁を有する形状で、長軸方向の一方の先端に可撓性を有さない固定ロック部２１を設け、該固定ロック部２１にドアパネルの貫通穴の周縁に係止する係止爪２１ａを設けている。かつ、対向する他方の端部に可撓性を有する可撓ロック２２を設け、該可撓ロック部２２にも係止爪２２ａを設けている。この可撓ロック部２２側の周壁内面の奥端より内方にむけてリブを突設し、該リブを上記大径筒部１１に記された「ＬＥＦＴ」と「ＲＩＧＨＴ」の表示文字のいずれか一方を覆い隠す遮蔽部２３としている。また、樹脂インナー２０の外周面には、大径筒部１１の凹部に係止する突起２４を四方に突設している。
【００２２】
上記樹脂インナー２０をグロメット本体１０の大径筒部１１の内周面に沿わせて嵌合すると、樹脂インナー２０の取付方向を１８０゜変えることにより、樹脂インナー２０の遮蔽部２３が大径筒部１１に記された「ＬＥＦＴ」と「ＲＩＧＨＴ」との文字のいずれか一方を覆い隠すと共に他方が露出する。
このとき、図４（Ａ）に示すように、「ＬＥＦＴ」の文字が表れたグロメットＧ−Ａは車体と左ドアの間に取り付ける左ドア用グロメットとするものであり、逆に、図４（Ｂ）に示すように、「ＲＩＧＨＴ」の文字が表れたグロメットＧ−Ｂは車体と右側ドアの間に取り付ける右ドア用グロメットとするものである。
【００２３】
上記遮蔽部２３を可撓ロック部側に設けていることにより、図４（Ａ）に示す左ドア用グロメット、図４（Ｂ）に示す右ドア用グロメットのいずれの場合も、「ＬＥＦＴ」の表示が露出した側のロック部は固定ロック部２１であり、「ＲＩＧＨＴ」の表示が露出された側のロック部は固定ロック部２１である。
【００２４】
上記グロメット本体１０の蛇腹筒部１３、１５は、谷部と山部とを交互に連続した形状とし、屈曲性を付与している。蛇腹筒部１３は、ドアの開閉に追従して小径筒部１４を中心に回転する。また、蛇腹筒部１５は、予め配索形状に合わせて屈曲させずに、蛇腹状として屈曲自在とすることにより左右ドアへの共用化を可能にしている。
【００２５】
上記構成とすると、樹脂インナー２０の遮蔽部２３により、グロメット本体１０の大径筒部１１に記された「ＬＥＦＴ」と「ＲＩＧＨＴ」の文字のいずれか一方が樹脂インナー２０で覆い隠され、「ＬＥＦＴ」の文字が表れたグロメットＧ−Ａは車体と左ドアの間に架け渡す左ドア用ワイヤハーネスに取り付けるものであることが一目で認識できる。逆に、「ＲＩＧＨＴ」の文字が表れたグロメットＧ−Ｂは車体と右側ドアの間に架け渡す右ドア用ワイヤハーネスに取り付けるものであることが、表示より一見で認識できる。
【００２６】
上記「ＬＥＦＴ」と「ＲＩＧＨＴ」の文字に従って、グロメットＧを左ドア用ワイヤハーネス、右ドア用ワイヤハーネスに取り付けておくと、該ワイヤハーネスを車体とドアの間に架け渡して、グロメットＧの大径筒部１１をドアパネルの貫通穴に通して樹脂インナー２０を貫通穴の周縁にロックする際、必ず固定ロック部２１が貫通穴の下縁に位置し、可撓ロック部２２が貫通穴の上縁に位置する。よって、固定ロック部２１を貫通穴の下端縁に係止した後、可撓ロック部２２を撓ませながら貫通穴の上端縁に係止することができ、安定した状態で容易にグロメットＧをサイドドアの貫通穴に取り付けることができる。
【００２７】
【発明の効果】
以上の説明より明らかなように、本発明によれば、グロメット本体と車体係止用の樹脂インナーとからなるグロメットにおいて、グロメット本体の大径筒部に樹脂インナーを内嵌して組みつけると、大径筒部に記された右側表示と左側表示のうちいずれか一方が樹脂インナーの遮蔽部により覆い隠されずに外部から目視により認識でき、他方の表示のみが露出して外部から認識できることとなる。
よって、グロメット本体および樹脂インナーは左右共用品としながら、樹脂インナーの組付方向が変わるだけで左ドア用グロメット、右ドア用グロメットとして特定することができ、かつ、作業者は左右いずれのドア用であるが表示により一目で区別することができる。
【００２８】
かつ、樹脂インナーを大径筒部に組みつける時、いずれの向きとしても一方の表示のみが露出するため、露出した表示のグロメットとすればよく、樹脂インナーを大径筒部に間違えて組みつけることにはならず、作業性を高めることができる。
【００２９】
また、上記右側表示と左側表示をグロメットの大径筒部の上下対称位置に設ける一方、樹脂インナーには上下対称位置に設ける固定ロック部と可撓ロック部に対して、可撓ロック部側に上記遮蔽部を設け、樹脂インナーをグロメット本体の大径筒部に組みつけると、必ず可撓ロック部側の表示が隠蔽され、固定ロック部側の表示が露出する。かつ、右ドア用グロメットを右ドア用ワイヤハーネスに外装してドアパネルの貫通穴に係止する際には、表示側の固定ロック部が下位置となり、同様に、左ドア用グロメットでは表示側の固定ロック部が下位置となる。これにより、固定ロック部を貫通穴の下端縁に係止した後、可撓ロック部を撓ませながら貫通穴の上端縁に係止することができ、安定した状態で容易にグロメットを左右のドアの貫通穴に取り付けることができる。
【図面の簡単な説明】
【図１】グロメットの断面図である。
【図２】（Ａ）は左側サイドドアにグロメットを取り付ける状態の大径筒部、（Ｂ）は右側サイドドアにグロメットを取り付ける状態の大径筒部である。
【図３】（Ａ）は樹脂インナーの正面図、（Ｂ）は断面図である。
【図４】（Ａ）は左側サイドドア用グロメットの大径筒部、（Ｂ）は右側サイドドア用グロメットの大径筒部である。
【図５】従来例を示す図面である。
【図６】他の従来例を示す図面である。
【図７】他の従来例の問題点を示す図面である。
【符号の説明】
１０  グロメット本体
１１、１２  大径筒部
２０  樹脂インナー
２１  固定ロック部
２２  可撓ロック部
２３  遮蔽部
Ｇ  グロメット
【図１】
2004265788.tif 000003
【図２】
2004265788.tif 000004
【図３】
2004265788.tif 000005
【図４】
2004265788.tif 000006
【図５】
2004265788.tif 000007
【図６】
2004265788.tif 000008
【図７】
2004265788.tif 000009